(57)【特許請求の範囲】
【請求項１】
光源と、該光源から発せられた光を平行光束に変換してフィルムを透過させる手段と、前記フィルムの画像部分を透過した前記平行光束を、大きさを変更可能な微小面積のマスクに集束させる手段と、前記マスクの背後に配置された第１の撮影手段と、該第１の撮影手段によって撮影された画像を処理する手段とを備えたフィルム傷検出装置において、
前記フィルムの画像部分を撮影する第２の撮影手段と、
前記第１の撮影手段によって撮影された画像と前記第２の撮影手段によって撮影された画像とを比較する手段と、
を備えていることを特徴とするフィルム傷検出装置。
【請求項２】
光源と、該光源から発せられた光を平行光束に変換してフィルムを透過させる手段と、前記フィルムの画像部分を透過した前記平行光束を、大きさを変更可能な微小面積のマスクに集束させる手段と、前記マスクの背後に配置された撮影手段と、該撮影手段によって撮影された画像を処理する手段とを備えたフィルム傷検出装置において、
それぞれ直線状スリットを備え、該スリットの長さ方向を互いに直交させて前記平行光束中に光軸に略直交させて配設された２枚の走査用マスクが、それぞれが備える前記スリットの長さ方向と略直角方向に移動可能に設けられていることを特徴とするフィルム傷検出装置。
【発明の詳細な説明】
【０００１】
【発明の属する技術分野】
本発明は、フィルム傷検出装置に関し、特にデジタル写真プリンタの入力機に適用される、シュリーレン光学系を利用したフィルム傷検出装置に関するものである。
【０００２】
【従来の技術】
近来、ネガフィルムの各コマの画像データをスキャナで読み取って、この画像データを画像メモリに記憶し、この画像メモリに記憶されたネガフィルムの各コマの画像データの中からプリントすべきコマの画像を読み出して液晶板に表示し、表示された画像を印画紙に露光し処理することによりプリントを作成する、いわゆるデジタル写真プリンタが実用化されている。
【０００３】
このようなデジタル写真プリンタの入力機において、フィルム上に傷がある場合に近傍の画像信号から傷のデータを修復することが可能であるが、従来は傷か画像かを判定するのにオペレータの経験で判断していた。
【０００４】
【発明が解決しようとする課題】
しかしながら、フィルムの傷の判定を人力に頼っていてはいかにも効率が悪いため、傷と画像との判別を簡易な構成で行なうことができるフィルム傷検出装置の開発が望まれていた。
【０００５】
本発明は上記の事情に鑑みてなされたものであり、傷と画像との判別をオペレータの経験に頼らずに行なうことができる簡易な構成を有するフィルム傷検出装置を提供することを目的とするものである。
【０００６】
【課題を解決するための手段】
本発明によるフィルム傷検出装置は、シュリーレン光学系を利用したものであって、第１の発明は、光源と、この光源から発せられた光を平行光束に変換してフィルムを透過させる手段と、フィルムの画像部分を透過した平行光束を、大きさを変更可能な微小面積のマスクに集束させる手段と、マスクの背後に配置された第１の撮影手段と、この第１の撮影手段によって撮影された画像を処理する手段とを備えたフィルム傷検出装置において、
上記フィルムの画像部分を撮影する第２の撮影手段と、上記第１の撮影手段によって撮影された画像と前記第２の撮影手段によって撮影された画像とを比較する手段と、を備えていることを特徴とするものである。
【０００７】
また、第２の発明は、光源と、この光源から発せられた光を平行光束に変換してフィルムを透過させる手段と、フィルムの画像部分を透過した平行光束を、大きさを変更可能な微小面積のマスクに集束させる手段と、マスクの背後に配置された撮影手段と、この撮影手段によって撮影された画像を処理する手段とを備えたフィルム傷検出装置において、
それぞれ直線状スリットを備え、このスリットの長さ方向を互いに直交させて平行光束中に光軸に略直交させて配設された２枚の走査用マスクが、それぞれが備えるスリットの長さ方向と略直角方向に移動可能に設けられていることを特徴とするものである。
【００１０】
【発明の効果】
第１および第２の発明によれば、フィルムに傷がない場合には、フィルムの画像部分を通った平行光束はすべて微小面積のマスク上に集束されることによって遮られ、背後の撮影手段に入射しないから、撮影手段の視野は暗い状態である。しかしながら、フィルムに傷がある場合には、平行光束が乱されるので、傷の部分を通った光はマスクに集束されずに撮影手段に入射する。したがって、この画像を処理すすることにより、簡単な構成によってフィルムの傷の有無を容易に検出することができる。また、上記微小面積のマスクは、その大きさを増大させると、平行光束を乱す程度が僅かである細かい傷は検出不能になる。したがって、大きさの異なる交換可能な複数のマスクを用意したり、あるいは大きさを変更可能な１個のマスクを用いたりすることにより、細かい傷を検出する必要がないときにはマスクの大きさを増大させて、大きい傷の検出を容易にすることができる。
【００１１】
そして、第１の発明によれば、光遮断用のマスクの背後に配置された第１の撮影手段に加えて、フィルムの画像部分を撮影する第２の撮影手段を備えているから、両撮影手段によって撮影された画像を互いに比較することにより、傷の位置を特定することができる。
【００１３】
さらに、第２の発明によれば、それぞれ直線状スリットを備え、このスリットの長さ方向を互いに直交させて平行光束中に光軸に略直交させて配設された２枚の走査用マスクが、それぞれが備えるスリットの長さ方向と略直角方向に移動可能に設けられていることにより、フィルムをそれぞれスリットの方向に順次走査して、その座標からフィルム上における傷の正確な位置情報を得ることができる。
【００１４】
またさらに、シュリーレン光学系から得られる傷の位置情報に基づいて、傷の修復された出力画像を得ることもできる。
【００１５】
【発明の実施の形態】
以下、図面を参照して本発明によるフィルム傷検出装置の実施の形態を詳細に説明する。
【００１６】
図１（ａ），（ｂ）は、本発明によるフィルム傷検出装置の基本的構成であるシュリーレン光学系を示す概念図であり、図１（ａ）はフィルムに傷がない場合、図１（ｂ）はフィルムに傷がある場合をそれぞれ示す。
【００１７】
このシュリーレン光学系１０は、間隔をおいて配置された凸レンズ１，２と、凸レンズ１の入力側の焦点位置に配置されたＬＥＤなどの単色の光源３と、凸レンズ（集光レンズ）２の出力の焦点位置に配置された微小面積の遮蔽用マスク４と、このマスク４の背後に配置されたＣＣＤカメラ（撮影手段）５とから構成されている。したがって、光源３から発せられた光は凸レンズ１によって平行光束６にされ、この平行光束６が集光レンズ２によってマスク４に集光されるようになっている。
【００１８】
このマスク４は、その大きさを変更可能であることが好ましく、これは、大きさの異なる交換可能な複数のマスクを用意したり、あるいは大きさを変更可能な１個のマスクを用いることによって達成できる。
【００１９】
いま、図１（ａ）に示すようにレンズ１，２間の平行光束６中に傷のないフィルム７を挿入した場合、フィルム７の両面が平行光束６と直交しているためにフィルム７の画像部分を通った平行光束６はフィルム７によって光路を乱されることなく集光レンズ２に入射するから、この集光レンズ２によってマスク４の位置に集束される。したがって、光はマスク４によって遮られてカメラ５に入らず、カメラ５の視野は暗いままであり、光はＣＣＤ素子５ａには達しない。
【００２０】
次に、この状態で、図１（ｂ）に示すようにフィルム７に傷７ａがある場合には、平行光束６の傷７ａを通った部分が傷７ａの傾斜した界面によって屈折され、方向が変わるので、この傷７ａの部分を通った光はマスク４の位置に集束されない。したがって、傷７ａの部分を通った、マスク４によって遮られない光がカメラ５に入射して、ＣＣＤ素子５ａのＡ点に達する。この画像を処理して、フィルム７の画像と重ね合わせると、傷７ａを検出することができる。
【００２１】
上記マスク４は、その大きさを増大させると、平行光束を乱す程度が僅かである細かい傷は検出不能になる。したがって、細かい傷を検出する必要がないときにはマスクの大きさを増大させて、大きい傷の検出を容易にすることができる。
【００２２】
図２は、図１に示すシュリーレン光学系１０を備えたネガフィルムスキャナの系統図である。
【００２３】
フィルム７の原画像を取り込むネガフィルム走査系２０は、光源２１と、ミラーボックス２２と、ミラーボックス２２から出射した光をフィルム７を通して受けるレンズ系２３と、フィルム走査部２４と、ＣＣＤ素子２５とから構成され、ＣＣＤ素子２５からは傷を含む画像が画像処理装置３０に出力される。
【００２４】
次に、傷位置を検出する方法の一例について説明すると、シュリーレン光学系１０には、上述した要素に加えて、フィルム７上の傷７ａの位置を特定するために、入力側レンズ１とフィルム７との間に走査部８が設けられている。この走査部８は、図２の縦方向に延びるスリットを備えたＸ方向走査用マスク９ａと、図２の横方向に延びるＹ方向走査用マスク９ｂとを備えており、これらマスク９ａ，９ｂを用いてフィルム７をそれぞれＸ方向およびＹ方向に順次走査して、その座標からフィルム７上における傷７ａの位置情報を得ている。
【００２５】
画像処理装置３０では、シュリーレン光学系１０のＣＣＤ素子５ａから出力される画像を、ローパスフィルタなどのフィルタを用いて処理した後、走査部８から得られる傷７ａの位置情報と合わせて傷７ａを検出し、ネガフィルム走査系２０のＣＣＤ素子２５からの出力画像（傷を含む）と重ね合わせれば、傷７ａを検出することができる。
【００２６】
また、傷７ａの近傍の画像を取り込み、この画像と傷７ａの位置情報とから傷の修復データを作成して、ＣＣＤ素子２５からの傷を含む画像と重ね合わせることにより、傷７ａの修復された出力画像を出力部３１に出力することができる。
【００２７】
このように、本実施の形態によれば、シュリーレン光学系１０を用いることによって、オペレータの経験に頼らずに簡易な構成で傷と画像とを判別することが可能になる。
【図面の簡単な説明】
【図１】本発明によるフィルム傷検出装置の基本的構成であるシュリーレン光学系を示す概念図
【図２】図１に示すシュリーレン光学系を備えたネガフィルムスキャナの系統図
【符号の説明】
１，２    凸レンズ
３，２１    光源
４    遮蔽用マスク
５    ＣＣＤカメラ
５ａ，２５    ＣＣＤ素子
６    平行光束リザーバー
７    フィルム
７ａ    傷
８    走査部
９ａ，９ｂ    走査用マスク
１０    シュリーレン光学系
２０    ネガフィルム走査系
２２    ミラーボックス
２３    レンズ系
２４    フィルム走査部
３０    画像処理装置
３１    出力部
【図１】
0003583012.tif 000002
【図２】
0003583012.tif 000003